(57)【特許請求の範囲】
【請求項１】
電気機器の筐体内に設置される小形動電型スピーカにおいて、
背面に設けた２個ずつの同極性の端子と、
前記各同極性の端子間に架設した突起を有する弾力のある導体からなるコンタクトとを備え、
前記筐体内に安定した状態で設置することができると同時に、前記コンタクトが前記筐体内に配線されている音声信号出力端子と良好な接触状態を保つことができることを特徴とする小形動電型スピーカ。
【請求項２】
電気機器の筐体内に設置される小形動電型スピーカにおいて、
背面に設けた不導体からなる弾性部材と、
背面に設けたフレキシブルプリント配線板とを備え、
前記フレキシブルプリント配線板をムービングコイルのリード線と接続すると共に一端を前記弾性部材に固着することによって、前記筐体内に安定した状態で設置することができると同時に、前記フレキシブルプリント配線板の導体パターンが前記筐体内に配線されている音声信号出力端子と良好な接触状態を保つことができることを特徴とする小形動電型スピーカ。
【発明の詳細な説明】
【０００１】
【発明の属する技術分野】
本発明は電気機器に使用される小形動電型スピーカに関する。
【０００２】
【従来の技術】
一般に、スピーカを設置する場合にはスピーカを機械的に固定すると共に、スピーカの＋，−の端子にリード線を半田付け，ネジ締め，圧着等により接続している。
【０００３】
【発明が解決しようとする課題】
しかしながら、携帯電話に代表されるように、小形電気機器は益々小形化，高性能化し、電気信号を音に変換する部分が専有できる容積は限り無く小さくなってきている。それと同時にコストの低減，信頼性が要求されている。従って、スピーカを安定した状態で電気機器の筐体内に設置することができる簡単な構造の開発が望まれていた。また、スピーカの小形化に反比例してリード線の半田付け部分の割合が増加するので、実際に筐体の方にスピーカを組み込むに当たってはかなり大きい部分を端子だけで占めてしまうことになり、スピーカの小形化の障害となる、という問題があった。
【０００４】
本発明はこのような点に鑑みてなされたものであり、電気機器の筐体内に安定した状態で設置でき、かつ、端子にリード線を半田付けしないで筐体内に配線されている音声信号出力端子と良好な接触状態を保つことができ、汎用性のある小形動電型スピーカを提供することを目的とする。
【０００５】
【課題を解決するための手段】
小形動電型スピーカの背面にバネ機構を設ける。この小形動電型スピーカを電気機器の筐体内に配置する時、バネ機構が筐体によって押し付けられて筐体内に安定した状態で設置することができる。また、このバネ機構は導体によって構成されているので、このバネ機構と筐体の音声信号出力端子が導通し、音が出る。
【０００６】
【発明の実施の形態】
本発明の小形動電型スピーカは、電気機器の筐体内に設置される小形動電型スピーカにおいて、背面に設けた２個ずつの同極性の端子と、前記各同極性の端子間に架設した突起を有する弾力のある導体からなるコンタクトとを備え、前記筐体内に安定した状態で設置することができると同時に、前記コンタクトが前記筐体内に配線されている音声信号出力端子と良好な接触状態を保つことができることに特徴を有している。
【０００７】
また、本発明の小形動電型スピーカは、電気機器の筐体内に設置される小形動電型スピーカにおいて、背面に設けた不導体からなる弾性部材と、背面に設けたフレキシブルプリント配線板とを備え、前記フレキシブルプリント配線板をムービングコイルのリード線と接続すると共に一端を前記弾性部材に固着することによって、前記筐体内に安定した状態で設置することができると同時に、前記フレキシブルプリント配線板の導体パターンが前記筐体内に配線されている音声信号出力端子と良好な接触状態を保つことができることに特徴を有している。
【０００８】
【実施例】
以下、本発明の一実施例を図面に基づいて説明する。
図８は動電型スピーカユニットの一般的な構成を示す断面図である。図において、１は動電型のスピーカユニットであり、２は前面に位置するプロテクター、３は振動板、４はムービングコイル、５はポールピース、６はフレーム、７はマグネット、９は貫通孔、１０は端子である。
【０００９】
次に、本発明の第１実施例を図１〜図３に基づいて説明する。図１は小形動電型スピーカの背面斜視図である。なお、図８と同一符号を付したものはそれぞれ同一の要素を示しており、説明を省略する。図において、８は自由振動を減衰させるダンパー、１０ａは背面の上下の２箇所に設けられた＋端子であり、１０ｂは背面の上下の２箇所に設けられた−端子である。１１ａは２つの＋端子１０ａ間に架設されたコンタクトＡであり、１１ｂは２つの−端子１０ｂ間に架設されたコンタクトＢである。
【００１０】
図２（ａ）は小形動電型スピーカの一方のコンタクトの斜視図であり、（ｂ）は他方のコンタクトの斜視図である。図から明らかなように、一方のコンタクトであるコンタクトＡ１１ａは２つの突起部１５を有しており、この突起部１５が筐体内に配線されている音声信号出力端子と接触することになる。また、他方のコンタクトであるコンタクトＢ１１ｂは１つの突起部１５を有しており、この突起部１５が筐体内に配線されている音声信号出力端子と接触することになる。これらのコンタクトの材質は、弾力のある導体からなる例えば燐青銅のようなバネ材である。
【００１１】
図３（ａ）は一方のコンタクトの配置を示す説明図であり、（ｂ）は他方のコンタクトの配置を示す説明図である。一方のコンタクトＡ１１ａには２つの突起部１５が設けられており、２つの＋端子１０ａ間に架設されている。他方のコンタクトＢ１１ｂには１つの突起部１５が設けられており、２つの−端子１０ｂ間に架設されている。これらの突起部１５が筐体内に配線されている音声信号出力端子に押されるかたちとなり、３点で安定した設置状態、良好な接触状態を保つことができる。例では突起部１５の数を２個と１個にしているがこの数に限定する必要はない。
【００１２】
続いて、本発明の第２実施例を図４〜図７に基づいて説明する。図４は小形動電型スピーカの背面斜視図である。なお、図１と同一符号を付したものはそれぞれ同一の要素を示しており、説明を省略する。図において、１６は背面に設けた不導体からなる弾性部材、１２は半円弧状のフレキシブルプリント配線板である。
【００１３】
図５は第２実施例におけるフレキシブルプリント配線板の正面図である。片面または両面に銅箔等の配線パターンを設けたフレキシブルプリント配線板である。半円弧状のフレキシブルプリント配線板１２には、中央部の２箇所にムービングコイル４のリード線と接続する端子部分としてのランドパターンＡ１２ａ，両端部にコンタクト部としてのランドパターンＢ１２ｂ，これらのランドパターン１２ａ，１２ｂ間を結ぶ配線パターン１２ｃが設けられている。
【００１４】
図６は第２実施例における小形動電型スピーカのフレキシブルプリント配線板の配置を示す説明図である。半円弧状のフレキシブルプリント配線板１２のランドパターンＡ１２ａをムービングコイル４のリード線と接続し、接続部近傍に固着する。続いて、このフレキシブルプリント配線板１２自体を接点として使用するために、両端部のランドパターンＢ１２ｂを持ち上げて、スピーカユニット１の背面に取付けた弾性部材１６の頂部に接着する。このフレキシブルプリント配線板１２の導体パターンが片面の場合には、ムービングコイル４のリード線と接続する端子部分をリジッドな基板と組み合わせて補強することができる。
【００１５】
スピーカユニット１を筐体内に挿入すると、２つのランドパターンＢ１２ｂが接点となり、弾性部材１６のクッションにより適当な圧力で筐体内の電気信号出力端子に接触する。従って、実施例１のような点接触ではなく一定の面積で筐体内の電気信号出力端子に圧着されると共に、安定した状態で筐体に固定される。
【００１６】
図７は他の第２実施例におけるフレキシブルプリント配線板の斜視図である。図において、１３は環状のフレキシブルプリント配線板である。このフレキシブルプリント配線板１３には、対称位置に２箇所ずつムービングコイル４のリード線と接続する端子部分としてのランドパターンＡ１３ａが設けられており、同極性の端子部分が半円弧状の配線パターン１３ｃで結ばれている。更に、配線パターン１３ｃの中央部にコンタクト部としてのランドパターンＢ１３ｂを設けることにより一層安定したコンタクトが得られる。
【００１７】
このフレキシブルプリント配線板１３は、図１で示されているようなスピーカユニット１に使用することができ、スピーカユニット１の背面の４箇所で選択的にムービングコイル４のリード線と接続し、２箇所でスピーカユニット１の背面に取付けた弾性部材１６の頂部に接着する。従って、部品点数が少なく作業効率が向上する。なお、このフレキシブルプリント配線板１３を図４で示されているようなスピーカユニット１にも使用可能である。
【００１８】
【発明の効果】
以上説明したように、本発明による小形動電型スピーカは、背面に設けた２個ずつの同極性の端子と、前記各同極性の端子間に架設した突起を有する弾力のある導体からなるコンタクトとを備え、前記筐体内に安定した状態で設置することができると同時に、前記コンタクトが前記筐体内に配線されている音声信号出力端子と良好な接触状態を保つことができるので、
また、本発明による小形動電型スピーカは、背面に設けた不導体からなる弾性部材と、背面に設けたフレキシブルプリント配線板とを備え、前記フレキシブルプリント配線板をムービングコイルのリード線と接続すると共に一端を前記弾性部材に固着することによって、前記筐体内に安定した状態で設置することができると同時に、前記フレキシブルプリント配線板の導体パターンが前記筐体内に配線されている音声信号出力端子と良好な接触状態を保つことができるので、
半田付け作業をなくし、生産性の向上、コストの低減及び信頼性の向上が図られる。
【図面の簡単な説明】
【図１】本発明の第１実施例における小形動電型スピーカの背面斜視図である。
【図２】（ａ）は本発明の第１実施例における小形動電型スピーカの一方のコンタクトの斜視図であり、（ｂ）は他方のコンタクトの斜視図である。
【図３】（ａ）は本発明の第１実施例における小形動電型スピーカの一方のコンタクトの配置を示す説明図であり、（ｂ）は他方のコンタクトの配置を示す説明図である。
【図４】本発明の第２実施例における小形動電型スピーカの背面斜視図である。
【図５】本発明の第２実施例におけるフレキシブルプリント配線板の正面図である。
【図６】本発明の第２実施例における小形動電型スピーカのフレキシブルプリント配線板の配置を示す説明図である。
【図７】本発明の他の第２実施例におけるフレキシブルプリント配線板の斜視図である。
【図８】動電型スピーカユニットの構成を示す断面図である。
【符号の説明】
１  スピーカユニット
２  プロテクター
３  振動板
４  ムービングコイル
５  ポールピース
６  フレーム
７  マグネット
８  ダンパー
９  貫通孔
１０  端子
１０ａ  ＋端子
１０ｂ  −端子
１１ａ  コンタクトＡ
１１ｂ  コンタクトＢ
１２  フレキシブルプリント配線板
１２ａ  ランドパターンＡ
１２ｂ  ランドパターンＢ
１２ｃ  配線パターン
１３  フレキシブルプリント配線板
１３ａ  ランドパターンＡ
１３ｂ  ランドパターンＢ
１３ｃ  配線パターン
１５  突起部
１６  弾性部材
【図１】
0003675950.tif 000002
【図２】
0003675950.tif 000003
【図３】
0003675950.tif 000004
【図４】
0003675950.tif 000005
【図５】
0003675950.tif 000006
【図６】
0003675950.tif 000007
【図７】
0003675950.tif 000008
【図８】
0003675950.tif 000009